【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
有価シートをスタックにおいて貯蔵する有価シート・ストアであって、
該スタックを支持するための手段と、
該スタックから複数のシートを取り除くことにより、複数の有価シートを払い出すための手段と、
該スタックから２つ以上のシートからなる１つの束が取り除かれるか否かを判定するための手段と、
該複数の有価シートを払い出すための手段が、２つ以上の有価シートからなる１つの束が取り除かれることを判定した場合に、前記束の前記有価シートの１つを除くすべてを前記スタックに戻すように動作可能である手段と、該複数の有価シートが該スタックに戻されつつあるときに、該スタックを支持するための手段を移動させて、該複数の有価シートを払い出すための手段と該スタックとの間の距離を増加させる手段とを含み、
該複数の有価シートを払い出すための手段と該スタックとの間の距離を増加させる手段が、運動可能な回転可能部罪状の突起を含み、それによって、一点で間接接合される２つのレバーのうちの１つと該突起が係合し、該スタックを支持するための手段を支持すると共に該スタックを支持するための手段を実質的に１つのレベル位置に維持するシザーズ構造を形成する有価シート・ストア。
【請求項２】
請求項１に記載の有価シート・ストアにおいて、前記複数の有価シートを払い出すための手段が、前記スタックに対して移動するように少なくとも部分的に自由であり、前記複数の有価シートを払い出すための手段に対する銀行券を戻す行為により、前記スタックと前記複数の有価シートを払い出すための手段との距離が増大するように構成される有価シート・ストア。
【請求項３】
請求項１又は２に記載の有価シート・ストアにおいて、該束の該有価シートの１つを除くすべてを該スタックに戻す時点の前に、前記束が、前記複数の有価シートを払いだすための手段によって支持され、前記スタックが、前記スタックと前記戻された有価シートとの間の摩擦を低減する方向に移動されるように構成される有価シート・ストア。
【請求項４】
請求項１乃至３のいずれか１項に記載の有価シート・ストアにおいて、前記束における有価シートの数を示す信号を提供するためのセンサを含む有価シート・ストア。
【請求項５】
請求項１乃至４のいずれか１項に記載の有価シート・ストアにおいて、前記有価シートの１つを除くすべてを該スタックに戻すように動作可能である手段が、前記束の対向側面と摩擦により係合するように構成される第１ローラ及び第２ローラを含み、前記第１ローラ及び前記第２ローラが、回転によって前記スタックから離れて前記束を輸送するように適合される有価シート・ストア。
【請求項６】
請求項５に記載の有価シート・ストアにおいて、前記第１ローラの回転方向と反対の方向に前記第２ローラを回転させる手段を含む有価シート・ストア。
【請求項７】
請求項５に記載の有価シート・ストアにおいて、前記第１ローラと同じ方向に前記第２ローラを回転させ、及び前記第１ローラの回転率より遅い率において前記第２ローラを回転させる手段を含む有価シート・ストア。
【請求項８】
請求項５乃至７のいずれか１項に記載の有価シート・ストアにおいて、前記第１ローラが、前記第２ローラの摩擦係数より大きい摩擦係数を有する有価シート・ストア。
【請求項９】
請求項５乃至８のいずれか１項に記載の有価シート・ストアにおいて、該束の有価シートの数を示す信号を提供するためのセンサを含み、有価シートの１つを除くすべてを該スタックに戻す時点の前に、該束が、該複数の有価シートを払い出すための手段によって支持され、該スタックが、戻されつつある該複数の有価シートと該スタックとの間の摩擦を減少させる方向に移動させられ、前記第２ローラの前記回転率及び前記回転方向のうちの少なくとも１つが、前記センサの出力に依拠する有価シート・ストア。
【請求項１０】
請求項１乃至９のいずれか１項に記載の有価シート・ストアにおいて、前記複数の有価シートを払いだすための手段が、前記スタックの一番上の有価シートと摩擦により係合するための取上げローラを含む有価シート・ストア。
【請求項１１】
請求項１０に記載の有価シート・ストアにおいて、該複数の有価シートを払い出すための手段と該スタックとの間の距離を増加させる手段が、複数の有価シートが該スタックに戻されつつあるときに、前記スタックを前記取上げローラから離れるように移動させる有価シート・ストア。
【請求項１２】
請求項１０又は１１に記載の有価シート・ストアにおいて、該複数の有価シートを払い出すための手段が該スタックに対して移動するのに少なくとも部分的に自由であり、該複数の有価シートを払い出すための手段に対して戻されつつある複数の有価シートにより、該スタックと該複数の有価シートを払い出すための手段との距離が増大するように構成され、該有価シート・ストアは、前記スタックの移動が、該複数の有価シートを払い出すための手段に向かって偏向されるように、前記スタックを支持する手段に接続されたバイアスを含み、該複数の有価シートを払い出すための手段と該スタックとの間の距離を増加させる手段が、前記バイアスの行為に対抗して該スタックを支持するための手段を移動するように構成される有価シート・ストア。
【請求項１３】
請求項１乃至１２のいずれか１項に記載の有価シート・ストアにおいて、前記スタックを保持するためのハウジングを含み、前記ハウジングが複数の側壁を備え、前記側壁の１つに旋回式に取り付けられたリッドを有する、有価シート・ストア。
【請求項１４】
請求項１３に記載の有価シート・ストアにおいて、前記リッドを開くことにより、前記スタックを支持するための手段が移動するように、前記スタックを支持するための手段に前記リッドを連結する手段をさらに含む有価シート・ストア。
【請求項１５】
請求項１４に記載の有価シート・ストアにおいて、該複数の有価シートを該スタックから払い出すための手段が、該スタックの一番上に位置する有価シートに摩擦力によって係合するローラを含み、該スタックを支持するための手段に該リッドを連結する手段が、前記リッドが開いているとき、前記スタックを支持するための手段を前記取上げローラから離れるように移動させる有価シート・ストア。
【請求項１６】
請求項１乃至１５のいずれか１項に記載の有価シート・ストアにおいて、前記スタックを固定するための手段をさらに含み、該スタックを固定するための手段が、前記スタックが固定される固定位置と、前記ストアへのアクセスが提供されるアクセス位置との間において係合可能である有価シート・ストア。
【請求項１７】
請求項１６に記載の有価シート・ストアであって、該スタックを固定するための手段が前記固定位置にあるとき、圧力を前記スタックに加えるプレス手段をさらに含む有価シート・ストア。
【請求項１８】
請求項１７に記載の有価シート・ストアにおいて、前記プレス手段が、前記スタックに重なるプレート、及びスタックの方向において前記プレートに対して圧力を及ぼすための他のレバーを含む有価シート・ストア。
【請求項１９】
請求項１乃至１８のいずれか１項に記載の有価シート・ストアにおいて、前記スタックの移動を防止するためのロック手段を含む有価シート・ストア。
【請求項２０】
請求項１９に記載の有価シート・ストアにおいて、前記ロック手段が、該スタックを支持するための手段と係合してしっかり固定するように構成される有価シート・ストア。
【請求項２１】
請求項１６に記載の有価シート・ストアにおいて、該スタックの移動を妨げるロック手段を含み、前記ロック手段が、前記固定手段が前記固定位置にあるとき、前記スタックを支持するための手段をロックするように構成される有価シート・ストア。
【請求項２２】
請求項１乃至２１のいずれか１項に記載の有価シート・ストアにおいて、前記スタックの寸法が所定のサイズを超えるときを使用者に通知するために基準をさらに備える有価シート・ストア。
【請求項２３】
請求項１乃至２２のいずれか１項に記載の有価シート・ストアにおいて、前記スタックの寸法が所定のサイズを超えるとき、使用者が前記スタックを固定することを防止する手段をさらに備える有価シート・ストア。